(57)【特許請求の範囲】
【請求項１】
同心に配設された第１の回動操作体及び第２の回動操作体と、
前記第１の回動操作体の回動軸の軸方向に対向するように、前記第１の回動操作体にそれぞれ設けられた２つの対向部と、
前記第１の回動操作体の回動軸に挿通され、前記第２の回動操作体の回動に応じて前記２つの対向部の一方に近接し、他方から離隔するように、前記２つの対向部の間を前記回動軸の軸方向へ移動する移動環体と、
前記２つの対向部にそれぞれ設けられ、前記第１の回動操作体の回動方向に所定間隔で並設された複数の凹部又は凸部を有する係合部と、
前記移動環体の前記軸方向の一側及び他側にそれぞれ設けられ、前記移動環体が前記対向部に近接した場合に、近接した前記対向部の係合部へ弾性付勢されて前記凹部又は凸部に係合される被係合部と
を備え、
２つの前記対向部にそれぞれ設けられた係合部は、並設された前記凹部又は凸部の数が異なること
を特徴とする操作装置。
【請求項２】
同心に配設された第１の回動操作体及び第２の回動操作体と、
該第１の回動操作体の回動軸の軸方向に対向するように、前記第１の回動操作体にそれぞれ設けられた２つの対向部と、
前記第１の回動操作体の回動軸に挿通され、前記第２の回動操作体の回動に応じて前記２つの対向部の一方に近接し、他方から離隔するように、前記２つの対向部の間を前記回動軸の軸方向へ移動する移動環体と、
前記移動環体の前記軸方向の一側及び他側にそれぞれ設けられ、前記第１の回動操作体の回動方向に所定間隔で並設された複数の凹部又は凸部を有する係合部と、
前記２つの対向部にそれぞれ設けられ、前記移動環体が前記対向部に近接した場合に、近接した前記移動環体の係合部へ弾性付勢されて前記凹部又は凸部に係合される被係合部と
を備え、
２つの前記対向部にそれぞれ設けられた係合部は、並設された前記凹部又は凸部の数が異なること
を特徴とする操作装置。
【請求項３】
前記第２の回動操作体に同心に設けられ、前記第２の回動操作体と共に回動する筒体と、
該筒体に形成され、前記筒体の周方向に沿って長い形状をなし、前記筒体の軸方向に徐々に変位する案内溝部と、
前記移動環体に設けられ、前記案内溝部に挿入される突起部と
を備え、
前記筒体の回動に応じて前記突起部の前記案内溝部への挿入位置が変化し、前記移動環体が軸方向へ移動するようにしてあること
を特徴とする請求項１又は請求項２に記載の操作装置。
【請求項４】
前記第２の回動操作体は、前記筒体に揺動可能に支持してあり、
前記第２の回動操作体の揺動を検知する揺動検知手段を備えること
を特徴とする請求項３に記載の操作装置。
【請求項５】
前記第１の回動操作体の回動軸と同心に配設され、前記第１の回動操作体の回動を検知する回動検知手段を備えること
を特徴とする請求項１乃至請求項４のいずれか１つに記載の操作装置。
【請求項６】
請求項１乃至請求項５のいずれか１つに記載の操作装置を複数備える操作システムであって、
各操作装置の被係合部がそれぞれ異なる付勢力で付勢してあること
を特徴とする操作システム。
【発明の詳細な説明】
【技術分野】
【０００１】
本発明は、ユーザの操作を受け付けるスイッチ又はボタン等を有し、配設のために大きなスペースを必要としない多機能な操作装置及び操作システムに関する。
【背景技術】
【０００２】
近年、車輌には種々の装置が搭載されている。これらの装置を動作させるためのスイッチ又はボタン等を有する操作装置は、運転席の近傍、例えばインストルメントパネルなどに配設されるが、車輌に搭載される装置の増加及び装置の多機能化に伴って、多くの機能を操作するためにはより多くのスイッチ及びボタン等が必要となり、配設スペースの不足が問題となっている。このため、少数のスイッチで多くの機能を操作することができる操作装置が求められている。
【０００３】
一方で、例えば円板型の回動操作体をユーザが回動操作することで機能操作を行うことができる操作装置、所謂ダイヤルスイッチが広く利用されている。ダイヤルスイッチは、例えばオーディオ装置での音量調節又はエアコンでの温度調節等に利用することができる。また、ダイヤルスイッチは、ユーザによる回動操作が行われた際に、回動操作体の回動に伴ってクリック感を生じさせるようにしてあるものが多く、これによってユーザが回動操作体の回動量を直感的に把握することができるという利点がある。
【０００４】
特許文献１においては、クリック感を生じさせることができ、容易に組み付けを行うことができる回転式スイッチが提案されている。この回転式スイッチは、固定部材に回転自在に取り付けられて外部操作により回転する可動部材を備え、この可動部材には、複数のクリック用凹部が所定ピッチで固定部材に対向するように形成された環状受部を設けてある。また、固定部材には、可動部材の環状受部に対向する部位に、クリック用凹部に嵌合するボール部を有する保持部材をスプリングによりクリック用凹部に押し付けるように設けてある。これらにより、クリック用凹部とボール部との嵌合によってクリック感を生じさせることができる。
【０００５】
また、上述の配設スペースが不足する問題を解決するために、一つのダイヤルスイッチを用いてユーザが複数の機能操作を行うことができる操作装置が検討され実用化され始めている。例えば、エアコンを操作するための操作装置が、"温度調整"、"風量調整"又は"風向調整"等の各モードを切り替える切替スイッチをダイヤルスイッチと共に備えて、ユーザが切替スイッチを操作していずれかのモードに切り替えた後にダイヤルスイッチを回動操作することによって各モードに対応する機能の調整を行うことができる構成とすることができる。
【０００６】
しかしながら、このような操作装置において、従来はダイヤルスイッチの回動操作に伴うクリック感は一定であり、切替スイッチによりモードを切り替えた場合であってもクリック感を変更することはできなかった。このため、温度調整及び風量調整のように十段階以上の多段階で調整を行う場合と、風向のように数段階程度で調整を行う場合とで、ユーザが回動操作を行った際に生じるクリック感が同じであり、良好な操作性を得られないという問題があった。
【０００７】
特許文献２においては、複数の電子機器の中から所望の機器を選択して操作することができると共に、選択した機器に応じてクリック感を変更することができる操作ユニットが提案されている。この操作ユニットでは、押しボタンを押圧操作した場合に、中央部で枢支されたばね体の一端側が押し下げられて他端側が押し上げられ、ばね体の他端側に配された球体部の上方球面部がクリック溝の形成された円板部材の下面に当接する構成としてある。円板部材は回転操作のための操作つまみと同心に配してあり、ばね体の球体部と円板部材のクリック溝が当接することによって、操作つまみの回転操作に伴ってクリック感が生じる。更に、各機器の選択に対応付けられた複数の押しボタンと、各押しボタンにそれぞれ押し下げられる複数のばね体と、各ばね体に設けられた球体部がそれぞれ当接する複数の円板部材とを備えて、各円盤部材のクリック溝の数又は形状等が異なる構成とすることにより、操作対象の機器毎に、操作つまみを回転操作した際に生じるクリック感を変更することができる。
【特許文献１】特開２００６−２６０９４９号公報
【特許文献２】特開２００６−２２２００３号公報
【発明の開示】
【発明が解決しようとする課題】
【０００８】
特許文献２に記載の操作ユニットでは、操作対象の機器毎にクリック感を変更することができるが、操作対象の機器を選択するための押しボタンを操作つまみの周辺に複数配設する必要があるため、操作ユニットのサイズが大きく、大きな配設スペースを必要とする。このため、車輌のインストルメントパネルなどの限られたスペースに配設することは容易ではない。よって、上述の配設スペースが不足する問題を解決し得るものではない。
【０００９】
本発明は、斯かる事情に鑑みてなされたものであって、その目的とするところは、第１の回動操作体及び第２の回動操作体を同心に配し、第１の回動操作体に設けられた２つの対向部の間を第２の回動操作体の回動操作に応じて移動する移動環体を設け、数の異なる凹部又は凸部を有する係合部を対向部にそれぞれ設けて移動環体の一側又は他側の被係合部に係合させる構成とすることにより、第２の回動操作体に対する操作によって第１の回動操作体を操作した際に生じるクリック感を変更することができ、小さなスペースに容易に配設することができる小型で多機能な操作装置を提供することにある。
【００１０】
また本発明の他の目的とするところは、第１の回動操作体及び第２の回動操作体を同心に配し、第１の回動操作体に設けられた２つの対向部の間を第２の回動操作体の回動操作に応じて移動する移動環体を設け、数の異なる凹部又は凸部を有する係合部を移動環体の一側及び他側にそれぞれ設けて対向部にそれぞれ設けた被係合部に係合させる構成とすることにより、第２の回動操作体に対する操作によって第１の回動操作体を操作した際に生じるクリック感を変更することができ、小さなスペースに容易に配設することができる小型で多機能な操作装置を提供することにある。
【００１１】
また本発明の他の目的とするところは、第２の回動操作体と同心に設けた筒体には周方向に長く軸方向に徐々に変位する案内溝部を形成し、移動環体にはこの案内溝部に挿入される棒状の突起部を設け、筒体の回動に伴う突起部の挿入位置の変化により移動環体を移動させる構成とすることにより、移動環体を確実且つ容易に移動させることができる操作装置を提供することにある。
【００１２】
また本発明の他の目的とするところは、筒体が第２の回動操作体を揺動可能に支持し、第２の回動操作体の揺動を検知する手段を設ける構成とすることにより、第２の回動操作体に対する揺動操作を受け付けることができるより多機能な操作装置を提供することにある。
【００１３】
また本発明の他の目的とするところは、第１の回動操作体に設けられた軸部と同心に、第１の回動操作体の回動を検知する手段を配設する構成とすることにより、より小型な操作装置を提供することにある。
【００１４】
また本発明の他の目的とするところは、上述の操作装置を複数備えると共に、各操作装置の被係合部をそれぞれ異なる付勢力で係合部へ付勢する構成とすることにより、各操作装置の第１の回動操作体にそれぞれ異なる操作負荷を付与することができ、ユーザが操作感を基にいずれの操作装置を操作しているかを判断することができる操作システムを提供することにある。
【課題を解決するための手段】
【００１５】
第１発明に係る操作装置は、同心に配設された第１の回動操作体及び第２の回動操作体と、前記第１の回動操作体の回動軸の軸方向に対向するように、前記第１の回動操作体にそれぞれ設けられた２つの対向部と、前記第１の回動操作体の回動軸に挿通され、前記第２の回動操作体の回動に応じて前記２つの対向部の一方に近接し、他方から離隔するように、前記２つの対向部の間を前記回動軸の軸方向へ移動する移動環体と、前記２つの対向部にそれぞれ設けられ、前記第１の回動操作体の回動方向に所定間隔で並設された複数の凹部又は凸部を有する係合部と、前記移動環体の前記軸方向の一側及び他側にそれぞれ設けられ、前記移動環体が前記対向部に近接した場合に、近接した前記対向部の係合部へ弾性付勢されて前記凹部又は凸部に係合される被係合部とを備え、２つの前記対向部にそれぞれ設けられた係合部は、並設された前記凹部又は凸部の数が異なることを特徴とする。
【００１６】
本発明においては、第２の回動操作体の回動位置に応じて操作対象の機能の選択を行い、同心に配された第１の回動操作体により、選択した機能について調整又は設定等を回動操作により行う構成とする。２つの回動操作体を備えることによって操作装置を多機能化することができ、２つの回動操作体を同心に配することによって操作装置が小型化される。また、第２の回動操作体に対する回動操作により、第１の回動操作体を操作した際に生じるクリック感を変更する。このために、第１の回動操作体には同心に軸部を設けると共に、軸方向に対向する２つの対向部を設ける。２つの対向部の間には軸部に挿通された移動環体を設け、２つの対向部の一方に近接し、他方に離隔するように、第２の回動操作体の回動に応じて移動環体を移動させる。また、２つの対向部には複数の凹部又は凸部を有する係合部をそれぞれ設け、移動環体の軸方向の一側及び他側には弾性付勢された被係合部をそれぞれ設けて、移動環体の移動に伴って一方の被係合部が一方の対向部に設けられた係合部に係合される構成とする。係合部の複数の凹部又は凸部と弾性付勢された被係合部との係合により、第１の回動操作体の回動に伴ってクリック感を生じさせることができる。この場合に、第２の回動操作体の回動に伴って係合する係合部及び被係合部が変更されるため、２つの対向部には異なる数の凹部又は凸部を有する係合部をそれぞれ設けることによって、クリック感を変更することができる。
【００１７】
また、第２発明に係る操作装置は、同心に配設された第１の回動操作体及び第２の回動操作体と、該第１の回動操作体の回動軸の軸方向に対向するように、前記第１の回動操作体にそれぞれ設けられた２つの対向部と、前記第１の回動操作体の回動軸に挿通され、前記第２の回動操作体の回動に応じて前記２つの対向部の一方に近接し、他方から離隔するように、前記２つの対向部の間を前記回動軸の軸方向へ移動する移動環体と、前記移動環体の前記軸方向の一側及び他側にそれぞれ設けられ、前記第１の回動操作体の回動方向に所定間隔で並設された複数の凹部又は凸部を有する係合部と、前記２つの対向部にそれぞれ設けられ、前記移動環体が前記対向部に近接した場合に、近接した前記移動環体の係合部へ弾性付勢されて前記凹部又は凸部に係合される被係合部とを備え、２つの前記対向部にそれぞれ設けられた係合部は、並設された前記凹部又は凸部の数が異なることを特徴とする。
【００１８】
本発明においては、上述の構成と同様に、第１の回動操作体及び第２の回動操作体を同心に配設し、第２の回動操作体に対する回動操作により、第１の回動操作体を操作した際に生じるクリック感を変更する構成とする。このために、第１の回動操作体には同心に軸部を設けると共に、軸方向に対向する２つの対向部を設ける。２つの対向部の間には軸部に挿通された移動環体を設け、２つの対向部の一方に近接し、他方に離隔するように、第２の回動操作体の回動に応じて移動環体を移動させる。また、移動環体の軸方向に一側及び他側には複数の凹部又は凸部を有する係合部をそれぞれ設け、２つの対向部には弾性付勢された被係合部をそれぞれ設けて、移動環体の移動に伴って一方の係合部が一方の対向部に設けられた被係合部を係合する構成とする。係合部の複数の凹部又は凸部と弾性付勢された被係合部との係合により、第１の回動操作体の回動に伴ってクリック感を生じさせることができる。この場合に、第２の回動操作体の回動に伴って係合する係合部及び被係合部が変更されるため、移動環体の一側及び他側には異なる数の凹部又は凸部を有する係合部をそれぞれ設けることによって、クリック感を変更することができる。
【００１９】
また、第３発明に係る操作装置は、前記第２の回動操作体に同心に設けられ、前記第２の回動操作体と共に回動する筒体と、該筒体に形成され、前記筒体の周方向に沿って長い形状をなし、前記筒体の軸方向に徐々に変位する案内溝部と、前記移動環体に設けられ、前記案内溝部に挿入される突起部とを備え、前記筒体の回動に応じて前記突起部の前記案内溝部への挿入位置が変化し、前記移動環体が軸方向へ移動するようにしてあることを特徴とする。
【００２０】
本発明においては、第２の回動操作体と共に回動する筒体を同心に設け、筒体の周方向に沿って長い形状をなし、筒体の軸方向に徐々に変位する案内溝部を筒体に形成する。移動環体には、筒体の案内溝部に挿入される網状の突起部を設ける。第２の回動操作体の回動に伴って筒体が回動し、突起部が案内溝部に挿入された移動環体は、案内溝部に沿って軸方向へ移動する。よって、第２の回動操作体の回動に応じて移動環体を軸方向に確実且つ容易に移動させることができる。
【００２１】
また、第４発明に係る操作装置は、前記第２の回動操作体が、前記筒体に揺動可能に支持してあり、前記第２の回動操作体の揺動を検知する揺動検知手段を備えることを特徴とする。
【００２２】
本発明においては、筒体が第２の回動操作体を揺動可能に支持する構成とする。これにより、ユーザは第２の回動操作体に対して回動操作を行うことができるのみでなく、更に揺動操作を行うことができる。第２の回動操作体の揺動を、検知手段として例えば揺動により押下される複数のスイッチを用いて検知することによって、操作装置がユーザの揺動操作を受け付けることができるため、操作装置の多機能化を実現できる。
【００２３】
また、第５発明に係る操作装置は、前記第１の回動操作体の回動軸と同心に配設され、前記第１の回動操作体の回動を検知する回動検知手段を備えることを特徴とする。
【００２４】
本発明においては、第１の回動操作体に設けられた軸部と同心に、第１の回動操作体の回動を検知する検知手段、例えばロータリエンコーダなどを配設する。回動操作を受け付ける操作装置にはこのような検知手段を設ける必要があるが、第１の回動操作体の回動を歯車機構などを用いて検知手段に伝達する構成とした場合には、第１の回動操作体又は軸部の周囲に検知手段を配設する必要があるため、操作装置が大型化し、広い配設スペースを必要とする虞がある。そこで、検知手段を第１の回動操作体と同心に配設することによって、この問題を回避することができる。
【００２５】
また、第６発明に係る操作システムは、上述のいずれか１つの操作装置を複数備える操作システムであって、各操作装置の被係合部がそれぞれ異なる付勢力で付勢してあることを特徴とする。
【００２６】
本発明においては、上述の操作装置を複数備えて、より多くの機能の操作を行う。各操作装置の第１の回動操作体に対する回動操作の負荷は、係合部に弾性付勢される被係合部の付勢力の大きさにより変化するため、各操作装置の被係合部を異なる付勢力で付勢することによって、各操作装置の第１の回動操作体に異なる操作負荷を付与することができる。これにより、複数の第１の回動操作体が並べて配設されている場合であっても、ユーザは操作負荷を基にいずれの第１の回動操作体を操作しているかを容易に判断することが可能となる。よって、ユーザは複数の第１の回動操作体を目視して確認することなく、所望の第１の回動操作体を操作することができる。
【発明の効果】
【００２７】
第１発明による場合は、第１の回動操作体及び第２の回動操作体を同心に配設する構成とすることにより、多機能な操作装置を小型化することができるため、車輌のインストルメントパネルなどの小さなスペースに多機能な操作装置を配設することができる。また、第１の回動操作体に設けられた２つの対向部の間を第２の回動操作体の回動操作に応じて移動する移動環体を設け、数の異なる凹部又は凸部を有する係合部を対向部にそれぞれ設けて、移動環体の一側又は他側の被係合部に係合させる構成とすることにより、第２の回動操作体に対する回動操作により第１の回動操作体を操作する際に生じるクリック感を変更することができるため、第１の回動操作体に対する回動操作の操作性を高めることができ、操作装置の利便性を向上することができる。
【００２８】
また、第２発明による場合は、第１の回動操作体及び第２の回動操作体を同心に配設する構成とすることにより、多機能な操作装置を小型化することができるため、車輌のインストルメントパネルなどの小さなスペースに多機能な操作装置を配設することができる。また、第１の回動操作体に設けられた２つの対向部の間を第２の回動操作体の回動操作に応じて移動する移動環体を設け、数の異なる凹部又は凸部を有する係合部を移動環体の軸方向の一側及び他側にそれぞれ設けて、２つの対向部にそれぞれ設けられた被係合部に係合させる構成とすることにより、第２の回動操作体に対する回動操作により第１の回動操作体を操作する際に生じるクリック感を変更することができるため、第１の回動操作体に対する回動操作の操作性を高めることができ、操作装置の利便性を向上することができる。
【００２９】
また、第３発明による場合は、第２の回動操作体に同心に連設された筒体に、周方向に長く軸方向に徐々に変位する案内溝部を形成し、移動環体にはこの案内溝部に挿入される棒状の突起部を設ける構成とすることにより、第２の回動操作体の回動に伴って筒体が回動し、突起部が案内溝部に挿入された移動環体が案内溝部に沿って軸方向へ移動するため、第２の回動操作体の回動に応じて移動環体を軸方向に確実且つ容易に移動させることができ、第１の回動操作体の回動に伴うクリック感を確実且つ容易に変更することができる。よって、第１の回動操作体に対する回動操作の操作性を確実且つ容易に向上することができる。
【００３０】
また、第４発明による場合は、筒体が第２の回動操作体を揺動可能に支持し、第２の回動操作体の揺動を検知する手段を設ける構成とすることにより、ユーザは第２の回動操作体に対して揺動操作を行うことができるため、操作装置を更に多機能化することができ、操作装置の利便性を更に向上させることができる。
【００３１】
また、第５発明による場合は、第１の回動操作体に設けられた軸部と同心に、回動を検知するロータリエンコーダなどの検知手段を配設する構成とすることにより、操作装置をより小型化することができるため、車輌のインストルメントパネルなどの小さなスペースに多機能な操作装置をより確実に配設することができる。
【００３２】
また、第６発明による場合は、上述の操作装置を複数備えると共に、各操作装置の被係合部をそれぞれ異なる付勢力で係合部へ付勢する構成とすることにより、各操作装置の第１の回動操作体に異なる操作負荷を付与することができるため、複数の第１の回動操作体が並べて配設されている場合であっても、ユーザは操作負荷を基にいずれの第１の回動操作体を操作しているかを容易に判断することができる。よって、複数の第１の回動操作体を目視して確認することなく、所望の第１の回動操作体を操作することができ、複数の操作装置を備える操作システムの操作性及び利便性を向上することができる。
【発明を実施するための最良の形態】
【００３３】
以下、本発明をその実施の形態を示す図面に基づき具体的に説明する。図１は、本発明に係る操作システムの構成を示す模式的平面図である。図において１は、車輌のインストルメントパネルの外装部分（の一部）であり、本実施の形態に係る操作システムは外装部分１に並設された複数の（２つの）操作装置１０を備えている。操作装置１０は、外装部分１上にモード切替スイッチ２０及びダイヤルスイッチ３０が積層して配設された外観をなしている。モード切替スイッチ２０は、平面視で略卵形の板状をなしており、外装部分１上に配設されて、約６０°の範囲内でユーザが回動操作することができるようにしてある。ダイヤルスイッチ３０は、円板状をなしており、モード切替スイッチ２０の上側に配設されて、時計回り及び反時計回りに３６０°又はそれ以上の範囲でユーザが回動操作することができるようにしてある。なお、ダイヤルスイッチ３０及びモード切替スイッチ２０は同心に配設してある。即ち、ダイヤルスイッチ３０の回動軸とモード切替スイッチ２０の回動軸とは一致するようにしてある。
【００３４】
外装部分１には各操作装置１０の周囲に４つの操作マーク２〜５が描かれている。操作マーク２〜４は、モード切替スイッチ２０により切り替えられる各モードを示すものであり、モード切替スイッチ２０の先細の先端部分２０ａが３つのモードマーク２〜４のいずれかを指し示すようにモード切替スイッチ２０を回動操作することによって、モードの切り替えを行うことができるようにしてある。操作マーク２はモード切替スイッチ２０の回動範囲の一端位置に描かれており、操作マーク４は回動範囲の他端位置に描かれており、操作マーク３は操作マーク２及び操作マーク４の間の位置に描かれている。
【００３５】
例えば、操作装置１０が車輌のエアコンを操作するためのものである場合、操作マーク２として”風向”の文字列を付し、操作マーク３として”風量”の文字列を付し、操作マーク４として”温度”の文字列を付しておく。モード切替スイッチ２０の先端部分２０ａが”風向”を指し示すように回動操作を行った場合、操作装置１０はエアコンの風向を調整するモードとなり、ユーザはダイヤルスイッチ３０を回動操作することによってエアコンの風向を調整することができる。他のモードについても同様である。
【００３６】
また、詳細は後述するが、操作装置１０のモード切替スイッチ２０は先端部分２０ａの側とその反対側とに揺動することができるようにしてある。操作マーク３及び５は、モード切替スイッチ２０の揺動位置を示すものであり、モード切替スイッチを間にして反対側にそれぞれ描かれている。操作装置１０は、モード切替スイッチ２０の先端部分２０ａが操作マーク３を指す位置の場合に、モード切替スイッチ２０を操作マーク３側又は操作マーク５側へ揺動することができるようにしてあり、例えば車輌内のディスプレイに表示されたメニューの選択などの操作を受け付けることができるようにしてる。
【００３７】
図２は、本発明に係る操作装置１０の構成を示す斜視図であり、図３は、本発明に係る操作装置１０の各部品の構成を示す分解斜視図である。図４及び図５は、本発明に係る操作装置１０の構成を示す三面図であり、図４には操作装置１０の前面視、上面視及び右側面視を示し、図５には操作装置１０の左側面視、上面視及び後面視を示してある。図６及び図７は、本発明に係る操作装置１０の断面図であり、図６に操作装置１０の左断面を示し、図７に後断面を示してある。図８は、本発明に係る操作装置１０の内部構成図であり、操作装置１０の外側の部品を取り外して内側の部品の構成を示したものであり、操作装置１０の前面視、後面視、左側面視及び右側面視を示してある。なお、図２〜図８においては、操作システムが備える１つの操作装置１０のみの構成を図示してあり、他の操作装置１０については同様の構成であるため図示を省略してある。また、インストルメントパネルの外装部分１についても図示を省略してある。また、以下の説明において、上下方向はモード切替スイッチ２０及びダイヤルスイッチ３０の回動軸方向とし、ダイヤルスイッチ３０側を上側とし、モード切替スイッチ２０側を下側とする。前後方向は、モード切替スイッチ２０の揺動方向、即ち図１に示した操作マーク３及び５が並ぶ方向とし、操作マーク３側を前側とし、操作マーク５側を後側とする。左右方向は、上述の上下方向及び前後方向に直交する方向とし、操作マーク２側を左方向とし、操作マーク４側を右方向とする。
【００３８】
本発明に係る操作装置１０を構成するダイヤルスイッチ３０及びモード切替スイッチ２０等の多数の部品は、基板９０上に組み立てられて配設されている。基板９０には、ダイヤルスイッチ３０の回動を検知するロータリエンコーダ８０と、モード切替スイッチ２０の回動によるモードの切り替えを検知する切替スイッチ９１と、モード切替スイッチ２０の揺動を検知するための２つのタクトスイッチ９２とがその他の電気部品（図示は省略する）と共に配設してある。ロータリエンコーダ８０はダイヤルスイッチ３０と同心に配設してあり、切替スイッチ９１は操作装置１０の右側に配設してあり、タクトスイッチ９２は操作装置１０の前後側に配設してある。基板９０にはロータリエンコーダ８０、切替スイッチ９１、タクトスイッチ９２及びその他の電気部品により電気回路が構成されて、操作装置１０に与えられたユーザの操作を電気信号に変換して種々の処理を行うことができるようにしてある。
【００３９】
ロータリエンコーダ８０は、円筒状をなしており、基板９０にネジ止め及びはんだ付け等により機械的且つ電気的に固定接続してある。ロータリエンコーダ８０は、基板９０に固定される固定部８１と、回転を検知する回転子８２とを有しており、外径の大きい固定部８１の上側に外径の小さい回転子８２が設けられている。ロータリエンコーダ８０は、回転子８２の回転に応じたパルス信号を出力するようにしてある。
【００４０】
また、ロータリエンコーダ８０の回転子８２にはダイヤルスイッチ３０に連結される円筒状のダイヤル軸４０が外嵌して固定してある。ダイヤル軸４０は、外径の小さい小筒部分４１と外径の大きい大筒部分４２とが同心に連結された態様であり、ロータリエンコーダ８０の回転子８２にはダイヤル軸４０の大筒部分４２が外嵌してある。また、ダイヤル軸４０の小筒部分４１及び大筒部分４２とを連結する連結部分４３はダイヤル軸４０の軸心に略垂直な円環平面状をなしており、連結部分４３には一周に亘って所定の間隔で凹部又は凸部が形成された第１クリック面４４が設けてある。ダイヤル軸４０の小筒部分４１の端部には、ダイヤル軸４０をダイヤルスイッチ３０に固定するための複数の固定爪４５が延設してあり、固定爪４５をダイヤルスイッチ３０に係合して固定することによって、ダイヤルスイッチ３０とダイヤル軸４０とが一体に回動するようにしてある。
【００４１】
ダイヤルスイッチ３０は、円筒状をなす外筒３１と、この外筒３１に収容されて固定される円柱状のキャップ３２とにより構成されている。ダイヤルスイッチ３０の外筒３１は、外径の大きい大筒部分３３と外径の小さい小筒部分３４とが同心に連結された態様であり、キャップ３２は外筒３１の大筒部分３３に収容されて固定されている。大筒部分３３及びキャップ３２は、ユーザが触れて操作を行うために外部に露出した部分であり、回動操作が行い易いように大筒部分３３の外周面には多数の凹凸が形成してあり、凹凸が滑り止めをなすようにしてある。
【００４２】
ダイヤルスイッチ３０の小筒部分３４の端部には円環平面状の端面部分３５が設けてあり、端面部分３５の中央に形成された略円形の開口にダイヤル軸４０の固定爪４５を挿入することによって、ダイヤルスイッチ３０とダイヤル軸４０とを連結して固定するようにしてある。このため、端面部分３５の開口の内縁には固定爪４５に係合される爪受部３６が設けてあり、固定爪４５及び爪受部３６の係合によりダイヤルスイッチ３０及びダイヤル軸４０が不動に固定されるようにしてある。よって、ダイヤルスイッチ３０、ダイヤル軸４０及びロータリエンコーダ８０の回転子８２を接続して固定することによって、ユーザがダイヤルスイッチ３０に対して行った回動操作をロータリエンコーダ８０がダイヤル軸４０を介して検知することができる。即ち、ダイヤル軸４０はダイヤルスイッチ２０の回動軸をなしている。
【００４３】
ダイヤルスイッチ３０の小筒部分３４に設けられた端面部分３５の外側には、一周に亘って所定の間隔で凹部又は凸部が形成された第２クリック面３７が設けてある。ダイヤルスイッチ３０及びダイヤル軸４０を連結して固定した場合、ダイヤルスイッチ３０の端面部分３５とダイヤル軸４０の連結部分４３とは対向するようにしてあり（即ち、端面部分３５及び連結部分４３はそれぞれ対向部である）、端面部分３５の第２クリック面３７と連結部分４３の第１クリック面４４とが対向するようにしてある。ただし、第１クリック面４４及び第２クリック面３７には複数の凹部又は凸部が一周に亘って所定の間隔で形成してあるが、第１クリック面４４に形成された凹部又は凸部の数と第２クリック面３７に形成された凹部又は凸部の数とが異なるようにしてある。例えば、第１クリック面４４には一周に亘って６０個の凹部又は凸部が形成してあり、第２クリック面３７には一周に亘って３０個の凹部又は凸部が形成してある。
【００４４】
また、操作装置１０は、ダイヤル軸４０の小筒部分４１が挿通可能な略円形の開口を有する円環状の板部材であるクリック数変更部材７０を備えている。クリック数変更部材７０は、操作装置１０の組み立ての際にダイヤルスイッチ３０及びダイヤル軸４０が連結される前に、ダイヤル軸４０の小筒部分４１に挿通される。クリック数変更部材７０は、軸方向に関してダイヤル軸４０の小筒部分４１の長さより十分に短くしてあり、小筒部分４１に挿通された状態ではダイヤルスイッチ３０の端面部分３５とダイヤル軸４０の連結部分４３との間を軸方向にスライドして移動することができるようにしてある。
【００４５】
クリック数変更部材７０の外側面には、２つの丸棒状の突起部７１が外側面からラジアル方向へ突出するように、外側面の反対位置にそれぞれ設けてある。クリック数変更部材７０は、突起部７１により支持されて、軸方向へ移動することはできるが、周方向へ回動しないようにしてある。
【００４６】
また、クリック数変更部材７０は、軸方向の一側の端面及び他側の端面に板ばね７２がそれぞれ設けてある。板ばね７２は、円弧（クリック数変更部材７０の端面の略半分の円弧）状をなす金属製の板部材であり、両端部分がクリック数変更部材７０の端面にそれぞれ固定してあると共に、中央部分には楔状の爪部７３が固定してあり、爪部７３を端面から離隔する方向へ付勢するようにしてある。一側の板ばね７２と他側の板ばね７２との付勢力は略同じにしてある。ただし、図１に示すように操作システムが操作装置１０を２つ備える場合には、各操作装置１０の板ばね７２は異なる付勢力をそれぞれ付与するものとする。
【００４７】
図９は、本発明に係る操作システムのクリック数変更部材７０の板ばね７２による付勢力を説明するための模式図であり、異なる付勢力を有する２種のクリック数変更部材７０の模式的な側面を（ａ）及び（ｂ）にそれぞれ示してある。また、（ａ）に示すクリック数変更部材７０は板ばね７２による爪部７３の付勢力が小さい場合であり、（ｂ）に示すクリック数変更部材７０は板ばね７２による爪部７３の付勢力が大きい場合である。図示のように、外力が加わらない状態における板ばね７２のクリック数変更部材７０の端面からの離隔量に差を設けることによって、爪部７３が第１クリック面４４及び第２クリック面３７に付勢される付勢力を調整することができる。
【００４８】
クリック数変更部材７０が軸方向に移動してダイヤルスイッチ３０の端面部分３５に近接した場合、一側の端面に設けられた板ばね７２の爪部７３が端面部分３５の第２クリック面３７に形成された凹部又は凸部に係合される。この状態でダイヤルスイッチ３０を回動操作した場合、爪部７３と第２クリック面３７とが順に係合することによってクリック感を生じさせることができる。また、クリック数変更部材７０が反対方向に移動してダイヤル軸４０の連結部分４３に近接した場合、他側の端面に設けられた板ばね７２の爪部７３が連結部分４３の第１クリック面４４に形成された凹部又は凸部に係合される。この状態でダイヤルスイッチ３０を回動操作した場合、爪部７３と第１クリック面４４とが順に係合することによってクリック感を生じさせることができる。なお、クリック感とは、爪部７３と第１クリック面４４又は第２クリック面３７の凹部又は凸部との係合に伴って生じる「カチ、カチ」という音、及びこのときに生じる振動等を含むものである。また、操作装置１０では、クリック数変更部材７０の一側及び他側の爪部７３が第１クリック面４４及び第２クリック面３７の凹部又は凸部に共に係合することがないようにしてある。
【００４９】
操作装置１０では、第１クリック面４４の凹部又は凸部の数と第２クリック面３７の凹部又は凸部の数とが異なる構成であるため、クリック数変更部材７０の爪部７３を係合されるクリック面を変更することによって、ダイヤルスイッチ３０を回動操作したときのクリック感の発生頻度、即ちクリック数を変更することができる。爪部７３が係合されるクリック面の変更は、クリック数変更部材７０を軸方向にスライドさせて、第１クリック面４４又は第２クリック面３７のいずれかに近接させることで行うことができる。
【００５０】
操作装置１０は、クリック数変更部材７０を軸方向にスライド可能に且つ周方向に回動不可能に支持するベース筒６０を備えている。ベース筒６０は円筒状をなしており、ロータリエンコーダ８０、ダイヤル軸４０、ダイヤルスイッチ３０の小筒部分３４及びクリック数変更部材７０（突起部７１を除く）等を内部に収容することができる大きさ及び形状にしてある。ベース筒６０の一端側（下端側）は、これらをベース筒６０内に収容した状態で、基板９０に不動に固定してある。
【００５１】
ベース筒６０の他端側（上端側）には、軸方向に長い２つの切り欠き６１が形成してあり、２つの切り欠き６１はベース筒６０の軸心を間にして反対側にそれぞれ形成してある。切り欠き６１の幅はクリック数変更部材７０の突起部７１の径に略等しいか又は若干大きくしてあり、突起部７１を切り欠き６１内に挿入することができるようにしてあると共に、ベース筒６０の軸方向に切り欠き６１内を突起部７１が移動することができるようにしてある。また、ベース筒６０の内径はクリック数変更部材７０の外径より若干大きくしてあり、ベース筒６０の外径はクリック数変更部材７０の軸心から突起部７１の突出端までの距離より十分に小さくしてある。
【００５２】
よって、ダイヤル軸４０の小筒部分４１に挿通されたクリック数変更部材７０の２つの突起部７１を、ベース筒６０の２つの切り欠き６１にそれぞれ挿入することによって、クリック数変更部材７０は切り欠き６１に沿って軸方向にスライド可能に、且つ、周方向に回動不可能にベース筒６０に支持される。この状態では、クリック数変更部材７０の２つの突起部７１は、切り欠き６１を挿通してベース筒６０の外側へ突出した状態となる。
【００５３】
ベース筒６０の外周面には、切り欠き６１と下端との間の位置に、鍔部６２が周設してある。鍔部６２には、ベース筒６０の軸心を間にして反対の位置（前後の２箇所）に、円筒状の保持部６３がそれぞれ設けてある。保持部６３は、基板９０に搭載されたタクトスイッチ９２を操作するための操作棒９３を保持するためのものであり、軸心がベース筒の軸心と略平行になるように鍔部６２に設けてあると共に、ベース筒６０が基板９０に固定された場合にタクトスイッチ９２の上面を覆うようにしてある。保持部９３の内径は操作棒９３の外径に略等しくしてあり、操作棒９３を保持部９３内で軸方向（上下方向）へスライドさせることにより、操作棒９３がタクトスイッチ９２を押下して操作することができるようにしてある。
【００５４】
ベース筒６０の鍔部６２には、（右側の）一部に切り欠き６４が形成してある。基板９０に固定された切替スイッチ９１は、基板９０に固定されたベース筒６０の鍔部６２の切り欠き６４に収まるように配設してある。切替スイッチ９１は、直方体状の本体部に揺動可能に支持された棒状の検知軸９１ａを有している。切替スイッチ９１は、本体部に内蔵されたばねなどの部材により検知軸９１ａが付勢される基準位置と、この基準位置を中心に検知軸９１ａを揺動させた場合の両側の最端位置との３つの位置のうち、検知軸９１ａがいずれの位置であるかを検知することにより、切り替えを検知するようにしてある。
【００５５】
また、操作装置１０は、モード切替スイッチ２０を回動可能に且つ揺動可能に支持すると共に、モード切替スイッチ２０の回動に伴ってクリック数変更部材７０を軸方向へ移動させる回動筒５０を備えている。回動筒５０は、ベース筒６０に外嵌する円筒状をなしており、一端側（上端側）にてモード切替スイッチ２０を揺動可能に支持するようにしてある。また、回動筒５０は、他端側（下端側）をベース筒６０の切り欠き６１が設けられた側（上側）から外嵌することによって、ベース筒６０の鍔部６２上に支持され、ベース筒６０の周囲を回動することができるようにしてある。上述のようにベース筒６０の切り欠き６１からはクリック数変更部材７０の突起部７１の先端部分が突出するため、回動筒５０にはベース筒６０に外嵌させる際に突起部７１の先端部分を通すための溝５１が設けてある。溝５１は回動筒５０の他端部（下端部）から軸方向の略中央の位置まで形成してあり、回動筒５０には溝５１を覆うように外周側へアーチ状の補強部５２が設けてある。
【００５６】
回動筒５０の軸方向の略中央には、上述の溝５１に連通し、回動筒５０の周方向に長い長穴状の案内溝５３が形成してある。ただし、長穴状の案内溝５３は、一端部５３ａから中央部５３ｂまでの部分が回転筒５０の周方向に沿って形成してあるが、中央部５３ｂで若干折り曲げられており、中央部５３ｂから他端部５３ｃまでの部分は軸方向に上側へ徐々に変位するように形成してある。溝５１及び案内溝５３は、回動筒５０の軸心を間にして両側（前側及び後側）にそれぞれ形成してあり、２つの案内溝５３は略同じ形状である。溝５１及び案内溝５３の幅は、クリック数変更部材７０の突起部７１の径に略等しいか又は若干大きくしてある。回動筒５０をベース筒６０に外嵌させる場合には、ベース筒６０の切り欠き６１から突出するクリック数変更部材７０の突起部７１を、回動筒５０に形成された溝５１に沿って案内溝５３へ導くことによって行うことができる。
【００５７】
モード切替スイッチ２０は、平面視が略卵形の板状をなしており、一側（上側）の面及び周側面にはユーザの操作が行い易いように種々の凹凸が形成してある。モード切替スイッチ２０には、先端部分２０ａの反対側に、回動筒５０が挿通可能な大きさの貫通孔２１が形成してあり、貫通孔２１は、モード切替スイッチ２０の回動軸に中心が一致する略円形をなしており、内周面の左右には対向する２つの位置にそれぞれ丸棒状の揺動軸２２が貫通孔２１の中心へ向けて突設してある。
【００５８】
回動筒５０の一端部（上端部）の左右には対向する位置にモード切替スイッチ２０の揺動軸２２を受ける軸受部５４が形成してある。軸受部５４は、回動筒５０の一端部から軸方向に形成された長円状の切り欠きであり、軸方向の長さが揺動軸２２の径に略等しいか又は若干大きくしてあり、幅が揺動軸２２の径に略等しくしてある。モード切替スイッチ２０の貫通孔２１を挿通させた回動筒５０の軸受部５４にて揺動軸２２を支持することによって、モード切替スイッチ２０は揺動軸２２を中心に揺動することが可能となる。
【００５９】
また、操作装置１０は、回動筒５０と径が等しい円筒状をなす固定部材２５を備えており、固定部材２５によりモード切替スイッチ２０を回動筒５０に取り外し不可能に固定するようにしてある。固定部材２５を回動筒５０の一端（上端）にねじ止め、接着又は係合等の手段で不動に固定することにより、回動筒５０の軸受部５４が閉じられてモード切替スイッチ２０が揺動軸２２を中心に揺動可能な状態で取り外し不可能に回動筒５０に固定される。この状態では、ユーザがモード切替スイッチ２０を回動操作した場合にモード切替スイッチ２０と回動筒５０とが一体に回動する。
【００６０】
モード切替スイッチ２０の回動は、上述のように切替スイッチ９１により検知される。操作装置１０の回動筒５０は、切替スイッチ９１が配された場所の近傍の外周面からラジアル方向に突設された２つの切替棒５５を有している。切替棒５５の突出量はベース筒６０に設けられた鍔部６２のラジアル方向に関する突出量と同程度にしてあり、２つの切替棒５５の軸方向の位置は略同じであり、２つの切替棒５５は周方向に鍔部６２の切り欠き６４の幅と同程度の距離を隔てて設けてある。回動筒５０をベース筒６０に外嵌した場合、ベース筒６０の切り欠き６４に収まるように基板９０に配設された切替スイッチ９１の検知軸９１ａが回動筒５０の２つの切替棒５５の間に配されるようにしてある。モード切替スイッチ２０の回動に伴って回動筒５０が回動した場合、回動筒５０の切替棒５５が切替スイッチ９１の検知軸９１ａに当接して揺動するようにしてあり、これにより切替スイッチ９１はモード切替スイッチ２０の回動を検知することができる。
【００６１】
また、モード切替スイッチ２０の下面には、円柱状に突出した２つの突起部２３が設けてある。突起部２３はモード切替スイッチ２０の貫通孔２１の中心を間にして前後に対向して設けてあり、突起部２３の径はタクトスイッチ９２を操作するための操作棒９３の径と略同じにしてある。モード切替スイッチ２０の下面からの突起部２３の突出量は、インストルメントパネルの外装部分１とモード切替スイッチ２０との間の距離に略等しくしてあり、突起部２３がモード切替スイッチ２０の回動の妨げとなることはない。
【００６２】
ベース筒６０の保持部６３に保持された操作棒９３の端部（上端部）は、インストルメントパネルの外装部分１に形成された貫通孔（図示は省略する）に挿入され、端面のみが外装部分１に露出するようにしてある。突起部２３の端面は、操作装置１０の組み立て後において、モード切替スイッチ２０の先端部分２０ａが操作マーク３を指し示す回動位置にある場合に、外装部分１の貫通孔に挿入された操作棒９３の端面に当接するようにしてあり、モード切替スイッチ２０を揺動させた場合に２つの操作棒９３のいずれか一方が押下されてタクトスイッチ９２を操作するようにしてある。
【００６３】
操作装置１０の組み立てを行う場合には、まず基板９０にロータリエンコーダ８１、切替スイッチ９１及びタクトスイッチ９２を搭載し、ロータリエンコーダ８１の回転子８２にダイヤル軸４０の大筒部分４２を外嵌させて固定する。次いで、ベース筒６０を基板９０にネジ止め又は接着等により固定し、クリック数変更部材７０をダイヤル軸４０に取り付ける。このとき、クリック数変更部材７０の開口にダイヤル軸４０を挿通すると共に、クリック数変更部材７０の２つの突起部７１をベース筒６０の２つの切り欠き６１に挿入する。
【００６４】
次いで、回動筒５０をベース筒６０に外嵌して取り付ける。このとき、ベース筒６０の切り欠き６１から突出するクリック数変更部材７０の突起部７１を回動筒５０の溝５１を通して案内溝５３へ導いて回動筒５０をベース筒６０に外嵌させる。次いで、ベース筒６０の２つの保持部６３に操作棒９３をそれぞれ保持させた後、回動筒５０の軸受部５４にモード切替スイッチ２０の揺動軸２２を収め、固定部材２５を回動筒５０に固定することによって、モード切替スイッチ２０の取り付けを行う。その後、外筒３１にキャップ３２を装着したダイヤルスイッチ３０の爪受部３６と、ダイヤル軸４０の上端に設けられた固定爪４５とを係合させることによって、ダイヤルスイッチ３０をダイヤル軸４０に固定し、操作装置１０の組み立てを完了する。
【００６５】
上述のようにして組み立てられた操作装置１０において、モード切替スイッチ２０が回動の中央位置、即ち先端部分２０ａが操作マーク３を指し示す位置に移動された場合、クリック数変更部材７０の突起部７１は回動筒５０の案内溝５３の中央部５３ｂに位置しており、ベース筒６０の切り欠き６１の下端部に位置している。この状態では、クリック数変更部材７０の下側に設けられた爪部７３が板ばね７２により付勢されて回動筒４４の第１クリック面４４に係合される。第１クリック面４４には例えば一周に亘って等間隔で６０個の凹部又は凸部が形成してあるため、ユーザがダイヤルスイッチ３０を回動操作した場合には、一周当たり６０回のクリック感が生じる。
【００６６】
また、モード切替スイッチ２０の先端部分２０ａが操作マーク３を指し示す状態においては、モード切替スイッチ２０を操作マーク３又は操作マーク５の方向（前後方向）へ揺動させることができる。例えば車内に搭載されたディスプレイにメニューが表示されている場合、ユーザはモード切替スイッチ２０を揺動することによってメニューの選択操作を行うことができる。
【００６７】
モード切替スイッチ２０を反時計回りに操作マーク２の位置へ回動操作した場合、モード切替スイッチ２０の回動に伴って回動筒５０が反時計回りに回動する。このとき、クリック数変更部材７０の突起部７１の挿入位置は、回動筒５０の案内溝５３の中央部５３ｂから一端部５３ａへ変化する。案内溝５３の中央部５３ｂ及び一端部５３ａは、回動筒５０の軸方向に関して等しい位置に形成してあるため、クリック数変更部材７０は軸方向に移動しない。よって、クリック数変更部材７０の下側に設けられた爪部７３が板ばね７２により付勢されて回動筒４４の第１クリック面４４に係合され、ユーザがダイヤルスイッチ３０を回動操作した場合には、一周当たり６０回のクリック感が生じる。
【００６８】
モード切替スイッチ２０を時計回りに操作マーク４の位置へ回動操作した場合、モード切替スイッチ２０の回動に伴って回動筒５０が時計回りに回動する。案内溝５３は、中央部５３ｂにて折れ曲がり、他端部５３ｃが上側となるように軸方向に徐々に変位する形状である。案内溝５３の他端部５３ｃは一端部５３ａ及び中央部５３ｂより上側にあり、回動筒５０の回動に伴ってクリック数変更部材７０の突起部７１の挿入位置は、回動筒５０の案内溝５３の一端部５３ａから他端部５３ｃへ変化する。よって、クリック数変更部材７０はベース筒６０の切り欠き６１に沿って軸方向に上側へ移動し、クリック数変更部材７０の上側に設けられた爪部７３が板ばね７２により付勢されてダイヤルスイッチ３０の第２クリック面３７に係合される。第２クリック面３７には例えば一周に亘って等間隔で３０個の凹部又は凸部が形成してあるため、ユーザがダイヤルスイッチ３０を回動操作した場合には、一周当たり３０回のクリック感が生じる。
【００６９】
以上の構成の操作装置１０においては、モード切替スイッチ２０とダイヤルスイッチ３０とを同心に積み重ねて配設する構成とすることにより、操作装置１０を小型化することができるため、車輌のインストルメントパネルなどの限られたスペースに操作装置１０を容易に配設することができる。また、モード切替スイッチ２０によりモードを切り替えてダイヤルスイッチ３０にて各モードでの設定又は調整等を行う構成とすることにより、１つの操作装置１０で複数の機能の操作を行うことができる。また、モード切替スイッチ２０が回動操作のみでなく揺動操作を受け付けることができる構成とすることにより、操作装置１０を更に多機能化することができる。
【００７０】
また、クリック数変更部材７０の軸方向の両側に設けられた爪部７３と、ダイヤル軸４０の第１クリック面４４又はダイヤルスイッチ３０の第２クリック面３７との係合によりクリック感を生じさせると共に、モード切替スイッチ２０の回動に伴ってクリック数変更部材７０を軸方向に上下に移動させて爪部７３が係合されるクリック面を変更する構成とすることにより、モード切替スイッチ２０によってモード毎に異なるクリック感をダイヤルスイッチ２０の回動操作に伴って簡単且つ確実に生じさせることができる。また、ダイヤルスイッチ３０の回動を検知するロータリエンコーダ８０をダイヤルスイッチ３０と同心に基板９０上に配設する構成とすることにより、操作装置１０をより小型化することができる。
【００７１】
また、２つの操作装置１０を備える操作システムにおいて、各操作装置１０の板ばね７２による爪部７３の付勢力をそれぞれ異なる設定とすることによって、各操作装置１０のダイヤルスイッチ３０に異なる操作負荷を付与することができるため、ユーザは操作負荷を基に２つの操作装置１０のいずれを回動操作しているかを、操作システムを目視することなく認識することができる。
【００７２】
なお、本実施の形態においては、操作装置１０はモード切替スイッチ２０により３つのモードに変更することができる構成としたが、これに限るものではなく、２つのモード又は４つ以上のモードに変更することができる構成としてもよい。また、３つのモードのうち２つのモードについてはダイヤルスイッチ３０の１回転につき６０回のクリック感を生じさせ、１つのモードについてはダイヤルスイッチ３０の１回転につき３０回のクリック感を生じさせる構成としたが、これに限るものではない。ダイヤルスイッチ３０の１回転でのクリック感の発生数（クリック数）は任意であってよく、ダイヤル軸４０の第１クリック面４４及びダイヤルスイッチ３０の第２クリック面３７の形状（凹部又は凸部の数）を変更するのみで容易にクリック数を設定できる。また、クリック数変更部材７０の両側にそれぞれ設けられた爪部７３のいずれかは、第１クリック面４４又は第２クリック面３７のいずれかに係合される構成としたが、これに限るものではなく、クリック数変更部材７０の爪部７３がいずれのクリック面にも係合されない状態、即ちダイヤルスイッチ３０を回動操作してもクリック感が生じない状態を含めて、操作装置１０が３段階にクリック数の変更を行う構成としてもよい。
【００７３】
また、モード切替スイッチ２０を前後方向に揺動可能な構成としたが、これに限るものではなく、モード切替スイッチ２０を揺動不可能な構成として回動操作のみを受け付ける構成としてもよい。また、操作システムが２つの操作装置１０を備える構成としたが、これに限るものではなく、操作装置１０を１つのみ備える構成であってもよく、３つ以上の操作装置１０を備える構成であってもよい。また、操作システムが複数の操作装置１０を備える場合に、各操作装置１０のクリック数変更部材７０の板ばね７２による爪部７３の付勢力を異なる設定として操作負荷に差を設ける構成としたが、これに限るものではなく、全ての操作装置１０の操作負荷が同じ構成であってもよい。
【００７４】
（変形例１）
上述の操作装置１０においては、クリック数変更部材７０に爪部７３及び板ばね７２を設け、ダイヤル軸４０及びダイヤルスイッチ３０にクリック面を設ける構成としたが、これに限るものではなく、爪部７３及び板ばね７２とクリック面との配設位置の関係が逆であってもよい。図１０は、本発明の変形例１に係る操作装置１１０の構成を示す模式的側面図である。図１０においてはダイヤルスイッチ１３０、ダイヤル軸１４０、クリック数変更部材１７０、ロータリスイッチ８０及び基板９０のみを図示し、モード切替スイッチ２０、回動筒５０及びベース筒６０等の図示は省略してある。
【００７５】
変形例１に係る操作装置１１０では、クリック数変更部材１７０の軸方向の一の面（下面）に６０個の凹部又は凸部を有する第１クリック面１７８を形成すると共に、反対面（上面）に３０個の凹部又は凸部を有する第２クリック面１７９が形成してある。ダイヤルスイッチ１３０の下側の端面部分には板ばね１８０が設けてあり、板ばね１８０により爪部１３９を下方へ付勢するようにしてある。同様に、ダイヤルスイッチ１３０の端面部分に対向するダイヤル軸１４０の連結部分には板ばね１４８が設けてあり、板ばね１４８により爪部１４９を上方へ付勢するようにしてある。
【００７６】
モード切替スイッチ２０の回動に伴ってクリック数変更部材１７０が下方へ移動した場合、ダイヤル軸１４０に設けられた爪部１４９が板ばね１４８によりクリック数変更部材１７０の下面に設けられた第１クリック面１７８へ付勢されて、爪部１４９及び第１クリック面１７８の係合によりダイヤルスイッチ１３０の回動操作にクリック感を生じさせることができる。また、クリック数変更部材１７０が上方へ移動した場合、ダイヤルスイッチ１３０に設けられた爪部１３９が板ばね１３８によりクリック数変更部材１７０の上面に設けられた第２クリック面１７９に付勢されて、爪部１３９及び第２クリック面１７９の係合によりクリック感を生じさせることができる。
【００７７】
以上の構成の変形例１に係る操作装置１０は、図１〜図９に示した操作装置１０と同様の効果を得ることができる。
【００７８】
（変形例２）
上述の操作装置１０においては、クリック数変更部材７０に設けた板ばね７２により爪部７３をクリック面へ付勢して係合させることでクリック感を生じさせる構成としたが、これに限るものではなく、クリック面への付勢及び係合を異なる構成で実現してもよい。図１１は、本発明の変形例２に係る操作装置のクリック数変更部材２７０の構成を示す模式的断面図である。
【００７９】
変形例２のクリック数変更部材２７０には、上面及び下面の両面に、且つ軸心を間にして対向する位置に、円柱状の部材を収容可能な形状をなす収容穴部２７２がそれぞれ形成してある。クリック数変更部材２７０は、収容穴部２７２に収容される有底円筒状のハウジング２７７と、このハウジング２７７に収容されるボール部材２７５と、ハウジング２７７に収容されてボール部材２７５をハウジング２７７の開口へ向けて付勢するコイルバネ２７６とを有している。
【００８０】
ハウジング２７７の内径はボール部材２７５の直径より若干大きくしてあるが、ハウジング２７７の開口はボール部材２７５の直径より小さくしてある。よって、ボール部材２７５は、コイルバネ２７６により開口へ向けて付勢されているが、開口の外側へ出ることはできず、開口からボール部材２７５の一部が露出するのみである。なお、ハウジング２７７は合成樹脂製であり、若干の可撓性を有しているため、クリック数変更部材２７０の組立工程においては、一定の押圧力を加えることによってボール部材２７５をハウジング２７７の開口から内部へ押し込むことができるようにしてある。
【００８１】
また、ボール部材２７５及びコイルバネ２７６が収容されたハウジング２７７は、クリック数変更部材２７０の収容穴２７２に圧入又は接着等により固定される。上面及び下面の両面にボール部材２７５、コイルバネ２７６及びハウジング２７７がそれぞれ組み込まれたクリック数変更部材２７０は、ダイヤル軸４４に挿通された状態で軸心方向へ移動し、ハウジング２７７の開口から露出するボール部材２７５の一部分が第１クリック面４４又は第２クリック面３７の凹部又は凸部に係合される。この状態でダイヤルスイッチ３０が回動操作された場合、クリック数変更部材２７０のボール部材２７５はハウジング２７７の開口から出没を繰り返しながらクリック面の凹部又は凸部に順に係合され、クリック感を生じさせることができる。
【００８２】
なお、変形例２においてはボール部材２７５、コイルバネ２７６及びハウジング２７７をクリック数変更部材２７０に設ける構成としたが、これに限るものではなく、変形例１に示すようにクリック数変更部材に第１クリック面及び第２クリック面を設ける場合には、ボール部材２７５、コイルバネ２７６及びハウジング２をダイヤルスイッチ３０及びダイヤル軸４０等に設ける構成としてもよい。
【００８３】
（変形例３）
図１２は、本発明の変形例３に係る操作装置のクリック数変更部材３７０の構成を示す模式的断面図である。変形例３のクリック数変更部材３７０には、上面及び下面の両面に、且つ軸心を間にして対向する位置に、円柱状の部材を収容可能な形状をなす収容穴部３７２がそれぞれ形成してある。
【００８４】
収容穴部３７２には、有底円筒状をなし、底部分の外面が半球状に形成された被係合部材３７５と、コイルバネ３７７とが収容される。また、被係合部材３７５は、底部分が外部に露出するように収容穴部３７２に収容され、収容穴部３７２に収容されたコイルバネ３７７により外部へ突出するように付勢されている。
【００８５】
また、収容穴部３７２の内周面の一部分には凹所３７３が形成してあり、被係合部材３７５の外周面の一部分にはラジアル方向に突出した係止爪部３７６が形成してある。被係合部材３７５が収容穴部３７２に収容された場合、被係合部材３７５の係止爪部３７６が収容穴部３７２の凹所３７３内に収まり、コイルバネ３７７により付勢された被係合部材３７５が収容穴３７２から飛び出すことを係止している。なお、被係合部材３７５は合成樹脂製であり、若干の可撓性を有しているため、クリック数変更部材３７０の組立工程においては、クリック数変更部材３７０の外周面を内側へ撓ませることによって、被係合部材３７５を収容穴部３７２内へ押し込むことができるようにしてある。
【００８６】
上面及び下面の両面に被係合部材３７５がそれぞれ組み込まれたクリック数変更部材３７０は、ダイヤル軸４４に挿通された状態で軸心方向へ移動し、収容穴部３７２から突出する被係合部材３７５の一部分が第１クリック面４４又は第２クリック面３７の凹部又は凸部に係合される。この状態でダイヤルスイッチ３０が回動操作された場合、クリック数変更部材３７０の被係合部材３７５は収容穴３７２からの出没を繰り返しながらクリック面の凹部又は凸部に順に係合され、クリック感を生じさせることができる。
【００８７】
なお、変形例３においては被係合部材３７５をクリック数変更部材３７０に設ける構成としたが、これに限るものではなく、変形例１に示すようにクリック数変更部材に第１クリック面及び第２クリック面を設ける場合には、被係合部材３７５をダイヤルスイッチ３０及びダイヤル軸４０等に設ける構成としてもよい。
【図面の簡単な説明】
【００８８】
【図１】本発明に係る操作システムの構成を示す模式的平面図である。
【図２】本発明に係る操作装置の構成を示す斜視図である。
【図３】本発明に係る操作装置の各部品の構成を示す分解斜視図である。
【図４】本発明に係る操作装置の構成を示す三面図である。
【図５】本発明に係る操作装置の構成を示す三面図である。
【図６】本発明に係る操作装置の断面図である。
【図７】本発明に係る操作装置の断面図である。
【図８】本発明に係る操作装置の内部構成図である。
【図９】本発明に係る操作システムのクリック数変更部材の板ばねによる付勢力を説明するための模式図である。
【図１０】本発明の変形例１に係る操作装置の構成を示す模式的側面図である。
【図１１】本発明の変形例２に係る操作装置のクリック数変更部材の構成を示す模式的断面図である。
【図１２】本発明の変形例３に係る操作装置のクリック数変更部材の構成を示す模式的断面図である。
【符号の説明】
【００８９】
１  外装部分
１０  操作装置
２０  モード切替スイッチ（第２の回動操作体）
２２  揺動軸
２５  固定部材
３０  ダイヤルスイッチ（第１の回動操作体）
３５  端面部分（対向部）
３７  第２クリック面（係合部）
４０  ダイヤル軸（回動軸）
４３  連結部分（対向部）
４４  第１クリック面（係合部）
５０  回動筒（筒体）
５１  溝
５３  案内溝（案内溝部）
５４  軸受部
６０  ベース筒
６１  切り欠き
７０  クリック数変更部材（移動環体）
７２  板ばね
７３  爪部（被係合部）
８０  ロータリエンコーダ（回動検知手段）
９０  基板
９１  切替スイッチ
９２  タクトスイッチ（揺動検知手段）
１１０  操作装置
１３０  ダイヤルスイッチ（第１の回動操作体）
１３８  板ばね
１３９  爪部（被係合部）
１４０  ダイヤル軸（軸部）
１４８  板ばね
１４９  爪部（被係合部）
１７０  クリック数変更部材（移動環体）
１７８  第１クリック面（係合部）
１７９  第２クリック面（係合部）
２７０  クリック数変更部材（移動環体）
２７２  収容穴部
２７５  ボール部材（被係合部）
２７６  コイルバネ
２７７  ハウジング
３７０  クリック数変更部材（移動環体）
３７２  収容穴部
３７５  被係合部材（被係合部）
３７７  コイルバネ
【図１】
0004590432.tif 000002
【図２】
0004590432.tif 000003
【図３】
0004590432.tif 000004
【図４】
0004590432.tif 000005
【図５】
0004590432.tif 000006
【図６】
0004590432.tif 000007
【図７】
0004590432.tif 000008
【図８】
0004590432.tif 000009
【図９】
0004590432.tif 000010
【図１０】
0004590432.tif 000011
【図１１】
0004590432.tif 000012
【図１２】
0004590432.tif 000013